(57)【要約】      （修正有）【課題】高い断熱効果を有し、省エネルギーに貢献するショーケースを提供する。【解決手段】商品を格納する格納室の少なくとも一面がガラス面２０で構成されたショーケースであって、当該ガラス面２０は、二層以上の複層ガラス２１ａ、２１ｂからなり、当該複層ガラス２１ａ、２１ｂの少なくとも一部を構成するガラス２１ａとガラス２１ｂとの間に形成される中空部２５に不活性ガスを充填することを特徴とする。【選択図】図３
0003193687.tif 000002
【実用新案登録請求の範囲】
【請求項１】
商品を格納する格納室の少なくとも一面がガラス面で構成されたショーケースであって、
当該ガラス面は、二層以上の複層ガラスからなり、
当該複層ガラスの少なくとも一部を構成するガラスとガラスとの間に形成される中空部に不活性ガスを充填すること
を特徴とするショーケース。
【請求項２】
前記不活性ガスがクリプトンであることを特徴とする請求項１に記載のショーケース。
【考案の詳細な説明】
【技術分野】
【０００１】
本考案は、高い断熱効果を有し、省エネルギーに貢献するショーケースに関する。
【背景技術】
【０００２】
近年、エネルギー資源の有効利用が注目されており、スーパーマーケットやコンビニエンスストアなどに設置されるショーケースにおいても省エネルギーが要求されている。具体的には、効率的に冷却できる冷却装置や、高い断熱性を有するショーケースが求められている。
【０００３】
従来のショーケースは、透明なガラスとショーケースのフレームや底板などで構成されている。フレームや底板等は、食品衛生上等の問題がなければ、それを構成する材料などは特に限定されない。したがって、フレームや底板等に断熱性を持たせたい場合には、これらに、例えば高い断熱効果を有する材料や構造を用いればよいことになる。
【０００４】
一方、ガラスは、ショーケース内に置かれる商品が良く見えるように、透明でなければならないという制約がある。そこで、ショーケースに断熱性を持たせたい場合には、例えば可視光の透過率が高く、かつ赤外線を反射する赤外線反射フィルムが貼り付けられたガラス（特許文献１参照）や、空気を封入した複層のガラスを用いるという方法がある（特許文献２参照）。
【先行技術文献】
【特許文献】
【０００５】
【特許文献１】特開２０１０−１５９３４１
【特許文献１】特開２００５−２４１１６４
【考案の概要】
【考案が解決しようとする課題】
【０００６】
しかしながら、赤外線反射フィルムが貼り付けられたガラスを用いる方法では、赤外線反射フィルムに貴金属等が用いられることが多いためコストが高く、また赤外線しか反射することができず、熱そのものを遮蔽することができないという問題点があった。
【０００７】
また、空気を封入した複層のガラスを用いた方法では、使用環境によっては断熱性が低いため、複層ガラスの表面に結露が発生してしまい、その結果ショーケース内の商品を綺麗に見せることができなくなってしまうという問題があった。
【０００８】
本考案は、上記な事情に鑑み、高い断熱効果を有し、省エネルギーに貢献するショーケースを提供することを目的とする。
【０００９】
本考案の考案者は、省エネルギーに貢献するショーケースについて、鋭意研究を続けた結果、以下のような画期的なショーケースを考案することに至った。
【課題を解決するための手段】
【００１０】
本考案に係る第１の態様は、商品を格納する格納室の少なくとも一面がガラス面で構成されたショーケースであって、当該ガラス面は、二層以上の複層ガラスからなり、当該複層ガラスの少なくとも一部を構成するガラスとガラスとの間に形成される中空部に不活性ガスを充填することを特徴とするショーケースにある。
【００１１】
かかる第１の態様では、ガラス面が高い断熱性を有するので、高い断熱効果を有し、省エネルギーに貢献するショーケースを提供することができる。
【００１２】
本考案に係る第２の態様は、前記不活性ガスがクリプトンであることを特徴とする第１の態様に記載のショーケースにある。
【００１３】
かかる第２の態様では、ガラス面がより高い断熱性を有するので、より高い断熱効果を有し、省エネルギーに貢献するショーケースを提供することができる。
【図面の簡単な説明】
【００１４】
【図１】実施形態１に係るショーケースの概略斜視図である。
【図２】実施形態１に係るショーケースの概略中央断面図である。
【図３】実施形態１に係る複層ガラスの概略斜視図である。
【図４】実施形態２に係る複層ガラスの概略斜視図である。
【考案を実施するための形態】
【００１５】
以下、実施形態を用いて本考案について説明するが、本考案はこれに限定されるものではない。なお、本考案において、ショーケース内に置かれる商品とは、１０℃〜３０℃で保存されるものだけでなく、それ以下の温度、例えば−２０℃〜１０℃で保存されるものや、それ以上の温度、例えば３０℃〜６０℃で保存されるものを含むものである。
（実施形態１）
【００１６】
図１に本実施形態に係るショーケースの概略斜視図を示し、図２に本実施形態に係るショーケースの概略中央断面図を示す。これらの図に示すように、ショーケース１は、コンプレッサ、コンデンサ、コンデンサファン等の冷却装置が格納された基台２と、基台２の上部に載置され、商品が格納される格納室５を備えたケース本体３とで構成されている。
【００１７】
格納室５は、底板１０と、棚板６ａ、６ｂが取り付けられた背面板１１と、複層ガラスで構成された正面ガラス１２、側面ガラス１３ａ、１３ｂおよび上面ガラス１４とで直方体状に形成されている。そして、これらはフレーム１５を介して相互に固定されている。
【００１８】
なお、格納室５は、棚板６ａ、６ｂによって仕切られるようになっており、底板と棚板６ａ、６ｂ上にそれぞれ商品を置くことができるので、格納室５の内部空間を効率的に利用できるようになっている。また、背面板１１には、複層ガラスで構成された引き戸１６がはめ込まれており、商品の出し入れができるようになっている。
底板、棚板６ａ、６ｂおよびフレーム１５は特に限定されないが、断熱性のある材料等で構成されたものが好ましく、特にガラスやステンレス好ましい。
【００１９】
次に、正面ガラス１２、側面ガラス１３ａ、１３ｂ、上面ガラス１４および引き戸１６を構成する複層ガラスについて説明する。図３は、複層ガラスの概略斜視図である。図３に示すように、複層ガラス２０は、スペーサ２２を介して２枚のガラス板２１ａ、２１ｂで構成されており、内部に中空部２５を有している。
【００２０】
中空部２５には、不活性ガスが充填されており、より断熱効果が得られるようになっている。不活性ガスとしては、化学反応を起こしにくい気体であれば限定されないが、例えば、ネオン（Ｎｅ）、アルゴン（Ａｒ）、クリプトン（Ｋｒ）などの希ガスが好ましく、特にクリプトンが好ましい。クリプトンは、断熱効果が高いことに加え、分子量および原子半径が大きいことから、スペーサ２２から外部に漏れにくい。
【００２１】
その結果、不活性ガスとしてクリプトンを用いることにより、スペーサ２２を介して、外部の水蒸気が中空部２５内に入りにくくすることができるので、ショーケースの温度が低下した際に、中空部２５内に結露が生じにくくなるという効果を奏する。
【００２２】
複層ガラス２０を構成するガラスは、断熱性の高いものであれば特に限定されない。また、スペーサ２２は中空部２５の不活性ガスが外部に漏れるのを防ぐことができ。かつ中空部２５の幅を一定に保つことができるものであれば特に限定されず、例えばシリコンゴムであってもよい。
【００２３】
そして、このショーケースでは、基台２に格納された冷却装置により冷やされた空気（冷風）が、格納室５内に送られて格納室５内に置かれた商品を冷やした後、再度冷却装置に送られる。このように、冷気を循環することにより、格納室５内の温度を一定に保つようになっている。なお、この際に、冷風が正面ガラス１２、側面ガラス１３ａ、１３ｂ、上面ガラス１４および引き戸１６に接触することになるが、これらは高い断熱性を有することから、外部からの熱の流入を防ぐことができる。
【００２４】
したがって、上述したような構成とすることにより、高い断熱効果を有し、省エネルギーに貢献するショーケースを提供することができる。
【００２５】
次に、本考案の効果を確認するため、不活性ガスとして、アルゴンおよびクリプトンを用い、外気温：２８℃、外部湿度：６０％、格納室内温度：２℃、格納室内の風速２ｍ／ｓ、中空部の気圧が１ａｔｍという条件で、２層からなる複層ガラスであって、その複層ガラス表面法線が水平方向になるように配置した場合における熱貫流率と外気側のガラスの表面温度を計算した。また、それら結果と、不活性ガスの代わりに空気を中空部に充填した際の熱貫流率の値および外気側のガラスの温度とを比較した。  
【００２６】
なお、計算方法としては、JIS R 3107およびJIS R 3106に規定されている計算方法および数値を用いた。ここで、外気の対流を考慮するために、Jurgesの式（αc=4.8+3.4v）を用いて対流熱伝達率αcを算出し、この逆数を屋外側表面熱伝達抵抗としている。ここで、Jurgesの式におけるvは外気の風速を示す。
＜実施例１＞
【００２７】
外気の風速を０．３ｍ／ｓ、外気に接するガラスの厚さを１０ｍｍ、中空部を６ｍｍ、格納庫内の空気に接するガラスの厚さを６ｍｍとして、熱貫流率および外気側のガラスの表面温度を計算した。その結果を表１に示す。
【００２８】
【表１】
0003193687.tif 000003
【００２９】
ここで、改善率とは、（空気の熱貫流率−不活性ガスの熱貫流率）／空気の熱貫流率×１００で算出される値である。また、温度差とは、不活性ガスの表面温度―空気の表面温度で算出される値である。
＜実施例２＞
【００３０】
外気の風速を０．３ｍ／ｓ、外気に接するガラスの厚さを６ｍｍ、中空部を９ｍｍ、格納庫内の空気に接するガラスの厚さを６ｍｍとして、熱貫流率および外気側のガラスの表面温度を計算した。その結果を表２に示す。
【００３１】
【表２】
0003193687.tif 000004
＜実施例３＞
【００３２】
外気の風速を０．３ｍ／ｓ、外気に接するガラスの厚さを１５ｍｍ、中空部を６ｍｍ、格納庫内の空気に接するガラスの厚さを５ｍｍとして、熱貫流率および外気側のガラスの表面温度を計算した。その結果を表３に示す。
【００３３】
【表３】
0003193687.tif 000005
＜実施例４＞
【００３４】
外気の風速を０．３ｍ／ｓ、外気に接するガラスの厚さを３ｍｍ、中空部を６ｍｍ、格納庫内の空気に接するガラスの厚さを３ｍｍとして、熱貫流率および外気側のガラスの表面温度を計算した。その結果を表４に示す。
【００３５】
【表４】
0003193687.tif 000006
＜実施例５＞
【００３６】
外気の風速を２ｍ／ｓ、外気に接するガラスの厚さを１０ｍｍ、中空部を６ｍｍ、格納庫内の空気に接するガラスの厚さを６ｍｍとして、熱貫流率および外気側のガラスの表面温度を計算した。その結果を表５に示す。
【００３７】
【表５】
0003193687.tif 000007
＜実施例６＞
【００３８】
外気の風速を２ｍ／ｓ、外気に接するガラスの厚さを６ｍｍ、中空部を９ｍｍ、格納庫内の空気に接するガラスの厚さを６ｍｍとして、熱貫流率および外気側のガラスの表面温度を計算した。その結果を表６に示す。
【００３９】
【表６】
0003193687.tif 000008
＜実施例７＞
【００４０】
外気の風速を２ｍ／ｓ、外気に接するガラスの厚さを１５ｍｍ、中空部を６ｍｍ、格納庫内の空気に接するガラスの厚さを５ｍｍとして、熱貫流率および外気側のガラスの表面温度を計算した。その結果を表７に示す。
【００４１】
【表７】
0003193687.tif 000009
＜実施例８＞
【００４２】
外気の風速を２ｍ／ｓ、外気に接するガラスの厚さを３ｍｍ、中空部を６ｍｍ、格納庫内の空気に接するガラスの厚さを３ｍｍとして、熱貫流率および外気側のガラスの表面温度を計算した。その結果を表８に示す。
【００４３】
【表８】
0003193687.tif 000010
【００４４】
これらの結果から分かるように、アルゴンおよびクリプトンを用いた場合の熱貫流率は、空気の熱貫流率よりも低く、断熱性が高いことが分かった。特に、クリプトンを用いた場合は、より断熱性が高いことが分かった。
【００４５】
また、アルゴンおよびクリプトンを用いた場合の表面温度は、空気を用いた場合の表面温度より高いことが分かった。特に、クリプトンを用いた場合は、より表面温度が高いことが分かった。したがって、アルゴンおよびクリプトン（特にクリプトン）を用いることによりショーケースの表面温度を外気温に近くすることができるので、ショーケースの温度を低くした際に、空気を用いた場合よりも結露を防止することができることが分かった。
（実施形態２）
【００４６】
実施形態１では、２枚のガラス２１ａ、２１ｂを用いて複層ガラス２０を構成したが、本考案に係るショーケースはこれに限定されない。例えば、図４に示すように、３枚のガラス３１ａ、３１ｂ、３１ｃを用いて中空部３５ａ、３５ｂが２つできるように複層ガラス３０を構成してもよい。
【００４７】
このように複層ガラス３０を構成することにより、より断熱性を向上させることができるので、より省エネルギーに貢献するショーケースを提供することができる。
【００４８】
なお、中空部３５ａ、３５ｂは、共に不活性ガスが充填されていてもよいし、いずれか一方が不活性ガスで充填され、他の一方は乾燥空気等が充填されていてもよい。このように構成しても、断熱性を向上させることができる。
（その他の実施形態）
【００４９】
実施形態１および２では、格納庫がガラス等で密閉されている、いわゆるクローズドショーケースを例にとり本考案を説明したが、本考案はこれに限定されるものではない。格納庫の一面またはそれ以上の面が開放されている、いわゆるオープンショーケースであっても同様に構成することにより、高い断熱性を有することは明らかである。
【符号の説明】
【００５０】
１  ショーケース
２  基台
３  ケース本体
５  格納室
６ａ、６ｂ  棚板
１１  背面板
１２  正面ガラス
１３ａ、１３ｂ  側面ガラス
１４  上面ガラス
１５  フレーム
１６  引き戸
２０  複層ガラス
２１ａ、２１ｂ、３１ａ、３１ｂ、３１ｃ  ガラス板
２２  スペーサ
２５、３５ａ、３５ｂ  中空部
【図１】
0003193687.tif 000011
【図２】
0003193687.tif 000012
【図３】
0003193687.tif 000013
【図４】
0003193687.tif 000014